(57)【要約】【課題】フックハンガーに掛けられて陳列された商品の前に、商品のフックハンガーからの取り外しの妨げになることなく、商品の試供品を陳列できるようにした商品見本陳列装置を提供することを目的とする。【解決手段】商品見本陳列装置１は、商品２の試供品２ａを取り出し自在に収容する保持部７と、保持部７をフックハンガー３に取り付ける開閉支持部８を備える。フックハンガー３は、商品２を掛けるフック部材３ａと、フック部材３ａの上側に略平行に配置される支持部材３ｂを備え、開閉支持部８は、フックハンガー３の支持部材３ｂの先端側に、保持部７を開閉自在に支持する軸部８ｂを備える。これにより、商品見本陳列装置１は、保持部７がフックハンガー３のフック部材３ａに掛けられた商品２の先頭となる位置に取り付けられ、かつ、保持部７が軸部８ｂを支点に回動して商品２の取り出し経路から退避できるようになっている。【選択図】        図１
2006075228.tif 000002
【特許請求の範囲】
【請求項１】
棒状のフック部材を有するフックハンガーに掛けられた商品と共に商品の試供品を陳列する商品見本陳列装置において、
前記商品の試供品を取り出し自在に収容する保持部と、
前記フックハンガーの前記フック部材に掛けられた前記商品の先頭となる位置に、前記商品の取り出し経路に対して開閉自在に前記保持部を取り付ける開閉支持部とを備えた
ことを特徴とする商品見本陳列装置。
【請求項２】
前記フックハンガーは、前記フック部材と略平行に配置された棒状の支持部材を備え、
前記開閉支持部は、前記フックハンガーの前記支持部材の先端側に前記保持部を開閉自在に取り付ける
ことを特徴とする請求項１記載の商品見本陳列装置。
【請求項３】
前記開閉支持部は、前記保持部を上方へ回転させる回転支持機構を備えた
ことを特徴とする請求項１または２記載の商品見本陳列装置。
【請求項４】
前記保持部は、収容する前記試供品の落下防止機構を備えた
ことを特徴とする請求項１，２または３記載の商品見本陳列装置。
【請求項５】
前記保持部は、少なくとも正面側は透明な部材で構成された
ことを特徴とする請求項１，２，３または４記載の商品見本陳列装置。
【請求項６】
前記保持部と前記試供品を繋ぐ連結部材を備えた
ことを特徴とする請求項１，２，３，４または５記載の商品見本陳列装置。
【発明の詳細な説明】
【技術分野】
【０００１】
本発明は、パッケージに収容され、フックハンガーに掛けられて陳列される商品の試供品を、商品と共に陳列する商品見本陳列装置に関する。
【背景技術】
【０００２】
現在、ステープラー等の文房具類等の商品は、透明なパッケージに収容され、フックハンガーに掛けられて陳列される販売形態となっているものがある。パッケージが透明であるので、ユーザはパッケージ内の商品を目視することができ、商品が収容されたパッケージをフックハンガーから外すことで、商品を購入することができる。
【０００３】
さて、商品の多機能化に伴い、商品の外観を見ただけでは機能を容易に理解できない商品も多くなっている。このため、フックハンガーの先頭に、商品の試供品等を取り出し自在に収容した商品見本陳列装置を掛けた販売形態が提案されている（例えば、特許文献１参照）。
【０００４】
【特許文献１】特開２０００−１７５７９０号公報
【発明の開示】
【発明が解決しようとする課題】
【０００５】
しかし、従来の商品見本陳列装置では、商品の購入の際には商品見本陳列装置をフックハンガーから取り外さなければならず、取り扱いが面倒であるという問題があった。
【０００６】
また、商品を掛けるフック部材と値札等を取り付ける支持部材とを備え、フック部材の長さを短くした構成のフックハンガーを使用し、支持部材側に商品見本陳列装置を掛けることで、商品見本陳列装置を取り外すことなく、商品をフック部材から取り外すことを可能とした技術も提案されている。
【０００７】
しかし、フック部材の長さを短くすることで、陳列できる商品の数が減り、品切れが発生するという問題があった。そして、品切れを防ぐためには頻繁な商品補充が必要となるという問題があった。
【０００８】
本発明は、このような課題を解決するためになされたもので、フックハンガーに掛けられて陳列された商品の前に、商品のフックハンガーからの取り外しの妨げになることなく、商品の試供品を陳列できるようにした商品見本陳列装置を提供することを目的とする。
【課題を解決するための手段】
【０００９】
上述した課題を解決するため、請求項１の発明は、棒状のフック部材を有するフックハンガーに掛けられた商品と共に商品の試供品を陳列する商品見本陳列装置において、商品の試供品を取り出し自在に収容する保持部と、フックハンガーのフック部材に掛けられた商品の先頭となる位置に、商品の取り出し経路に対して開閉自在に保持部を取り付ける開閉支持部とを備えたことを特徴とする。
【００１０】
請求項２の発明は、フックハンガーは、フック部材と略平行に配置された棒状の支持部材を備え、開閉支持部は、フックハンガーの支持部材の先端側に保持部を開閉自在に取り付けることを特徴とする。
【００１１】
請求項３の発明は、開閉支持部は、保持部を上方へ回転させる回転支持機構を備えたことを特徴とする。
【００１２】
請求項４の発明は、保持部は、収容する試供品の落下防止機構を備えたことを特徴とする。
【００１３】
請求項５の発明は、保持部は、少なくとも正面側は透明な部材で構成されたことを特徴とする。
【００１４】
請求項６の発明は、保持部と試供品を繋ぐ連結部材を備えたことを特徴とする。
【発明の効果】
【００１５】
本発明の商品見本陳列装置によれば、商品の試供品を収容する保持部は、フックハンガーのフック部材に掛けられた商品の先頭に位置する。これにより、通常の商品展開スペースの中で、試供品を常時設置することができる。
【００１６】
また、商品購入の際には、保持部を開くことで商品の取り出し経路から退避させることができる。これにより、商品をフックハンガーから取り外す際に、保持部をフックハンガーから取り外す必要がなく、容易な操作手順で商品をフックハンガーから取り外して、購入することができる。
【００１７】
このように、商品の試供品を常設できることで、商品購入に先立って、ユーザは商品の試供品を保持部から取り出して、実際に操作することができる。そして、実際に商品を使用してもらうことによって、ユーザに商品の機能を容易に理解してもらうことができ、商品の購入を促進することができる。
【発明を実施するための最良の形態】
【００１８】
以下、図面を参照して本発明の商品見本陳列装置の実施の形態について説明する。
【００１９】
＜商品見本陳列装置の構成＞
図１〜図４は本実施の形態の商品見本陳列装置の構成の一例を示し、図１は斜視図、図２は側面図、図３は正面図、図４は要部構成を示す斜視図である。本実施の形態の商品見本陳列装置１は、商品２を陳列するフックハンガー３に取り付けられる。
【００２０】
図５はフックハンガーおよび商品の構成の一例を示す斜視図で、まず、フックハンガー３および商品２の構成について説明すると、フックハンガー３は、商品２を掛ける棒状のフック部材３ａと、フック部材３ａの上側に略平行に延在し、先端部に値札４が取り付けられる支持部材３ｂを備える。
【００２１】
フック部材３ａと支持部材３ｂは、例えば１本の棒状部材を略Ｕ字型に折り曲げて形成され、フック部材３ａと支持部材３ｂの根元の部分に取付部材３ｃを備える。フックハンガー３は、取付部材３ｃが商品棚５の桟部５ａに嵌められて固定される。
【００２２】
商品２はパッケージ６に収容されて提供される。パッケージ６は例えば直方体の箱状で、透明な材質で構成されることで、商品２をパッケージ６の外側から目視できるようになっている。
【００２３】
パッケージ６は上部にフック孔６ａが形成され、フック孔６ａがフックハンガー３のフック部材３ａに掛けられる。これにより、商品２はパッケージ６に収容された形態でフックハンガー３のフック部材３ａに掛けられる。そして、フック部材３ａは所定の長さを有するので、図２に示すように、複数のパッケージ６を掛けることができる。
【００２４】
商品見本陳列装置１は、図１〜図４に示すように、商品２の試供品２ａを取り出し自在に収容する保持部７と、フックハンガー３の支持部材３ｂに保持部７を取り付ける開閉支持部８を備える。保持部７は、例えば上面に開口部７ａを有する有底の箱状で、試供品２ａを開口部７ａから出し入れ自在となっている。なお、保持部７は、試供品２ａおよび後方の商品が見えるように、透明な材質で構成される。
【００２５】
保持部７は、試供品２ａを使用する際に必要な紙類９等を試供品２ａと共に収容できるスペースが確保される。また、紙類９等を収容するスペースを仕切って確保しても良い。
【００２６】
保持部７は、図４に示すように、落下防止機構として内側面にゴムシート７ｂ等が貼り付けられる。また、保持部７と試供品２ａを繋ぐ連結部材として紐７ｃを備えても良い。紐７ｃは、一端が保持部７と繋がり、他端が試供品２ａと繋がっている。
【００２７】
開閉支持部８は、商品見本陳列装置１をフックハンガー３の支持部材３ｂに取り付けるための取付部８ａと、保持部７を開閉自在に支持する軸部８ｂを備える。取付部８ａは、フックハンガー３の支持部材３ｂの先端側に嵌められて、図示しないネジ等によって商品見本陳列装置１を支持部材３に所定の向きで固定する取付ブロック８ｃを有する。軸部８ｂは、保持部７の上端を支持して回転支持機構を構成し、保持部７は軸部８ｂを支点に上方に開くことができる構成である。
【００２８】
商品見本陳列装置１は、図２に示すように、開閉支持部８の取付部８ａによって、フックハンガー３の支持部材３ｂの先端側に固定される。保持部７は、フックハンガー３のフック部材３ａに掛けられたパッケージ６に収容された商品２の先頭となる位置に配置される。そして、保持部７は、上端が軸部８ｂによって開閉支持部８に支持されることで、フックハンガー３のフック部材３ａに掛けられた商品２の取り出し経路に対して、軸部８ｂを支点に開閉自在となる。
【００２９】
＜商品見本陳列装置の使用例＞
図６は商品見本陳列装置の使用状態例を示す斜視図で、以下に、本実施の形態の商品見本陳列装置１の動作について各図を参照して説明する。
【００３０】
パッケージ６に収容された形態で提供される商品２は、パッケージ６の図５に示すフック孔６ａがフックハンガー３のフック部材３ａに掛けられて、図１等に示すように商品棚５に陳列される。
【００３１】
商品見本陳列装置１は、試供品２ａを収容する保持部７が、通常はフックハンガー３のフック部材３ａに掛けられた商品２の先頭に位置する。保持部７は開口部７ａから試供品２ａが出し入れ自在な構成で、例えば試供品２ａがステープラーである場合、紙類９と一緒に保持部７に収容しておくことで、試供品２ａとしてのステープラーと紙類９を保持部７から取り出して、試し打ちをすることができる。
【００３２】
商品２を実際に購入する場合は、保持部７を上方に跳ね上げる。すなわち、保持部７は軸部８ｂによって上端を開閉支持部８に支持されており、保持部７を軸部８ｂを支点として上方へと回転させることができる。
【００３３】
図６に示すように、保持部７を軸部８ｂを支点として矢印で示すように上方へ例えば９０度程度まで回転させると、保持部７がフックハンガー３のフック部材３ａに掛けられた商品２の前方から退避し、商品２の取り出し経路が開放される。
【００３４】
これにより、商品２をフックハンガー３のフック部材３ａから取り外し、購入することができる。ここで、保持部７の内側面には図４に示すようにゴムシート７ｂが貼り付けられていることで、保持部７を軸部８ｂを支点として上方へ回転させた際に、試供品２ａがゴムシート７ｂに接触し、ゴムシート７ｂの試供品２ａに対する摩擦力で、試供品２ａの保持部７に対する滑りが防止される。
【００３５】
これにより、保持部７の開放時における試供品２ａの保持部７からの落下が防止される。
【００３６】
なお、商品２をフックハンガー３から取り外した後は、保持部７を軸部８ｂを支点に下方へ回転させ、フックハンガー３のフック部材３ａに掛けられた商品２の先頭に位置する状態に戻す。
【００３７】
本実施の形態の商品見本陳列装置１は、値札４が取り付けられるフックハンガー３の支持部材３ｂに取り付けられる。これにより、既存のフックハンガー３を利用して商品棚５に取り付けることができる。
【００３８】
また、試供品２ａを収容する保持部７は、フックハンガー３のフック部材３ａに掛けられた商品２の先頭に位置する。これにより、図３に示すように、通常の商品展開スペースの中で、試供品２ａを常時設置することができる。
【００３９】
このように、商品２の試供品２ａを常設できることで、商品購入に先立って、ユーザは商品２の試供品２ａを図４に示すように保持部７から取り出して、実際に操作することができる。
【００４０】
また、保持部７を透明な材質で構成することで、フックハンガー３の先頭に陳列される試供品２ａの色やデザインが、試供品２ａを保持部７から取り出すことなく目視できる状態となっている。これにより、試供品２ａの使用を促進することができる。更に、保持部７の後側に配置される値札４を保持部７を開放することなく目視でき、既存の値札４をそのまま利用できる。
【００４１】
通常、商品２の機能の説明はパッケージ６に表示等されているが、商品２の多機能化等に伴い、説明文を読んだだけでは、商品２の機能が理解しにくくなっている。これに対して、本願のように、実際に商品２の試供品２ａを使用してもらうことによって、ユーザに商品２の機能を容易に理解してもらうことができ、結果として、商品２の購入を促進することができる。
【００４２】
そして、商品購入の際には、保持部７を上方に跳ね上げることで商品２の取り出し経路から退避させることができる。これにより、商品２をフックハンガー３から取り外す際に、商品見本陳列装置１をフックハンガー３から取り外す必要がなく、容易な操作手順で商品２をフックハンガー３から取り外して、購入することができる。
【産業上の利用可能性】
【００４３】
本発明は、商品の試供品を商品と共に陳列できるようにした陳列装置に適用される。
【図面の簡単な説明】
【００４４】
【図１】本実施の形態の商品見本陳列装置の構成の一例を示す斜視図である。
【図２】本実施の形態の商品見本陳列装置の構成の一例を示す側面図である。
【図３】本実施の形態の商品見本陳列装置の構成の一例を示す正面図である。
【図４】本実施の形態の商品見本陳列装置の要部構成を示す斜視図である。
【図５】フックハンガーおよび商品の構成の一例を示す斜視図である。
【図６】商品見本陳列装置の使用状態例を示す斜視図である。
【符号の説明】
【００４５】
１・・・商品見本陳列装置、２・・・商品、２ａ・・・試供品、３・・・フックハンガー、３ａ・・・フック部材、３ｂ・・・支持部材、３ｃ・・・取付部材、４・・・値札、５・・・商品棚、５ａ・・・桟部、６・・・パッケージ、６ａ・・・フック孔、７・・・保持部、７ａ・・・開口部、８・・・開閉支持部、８ａ・・・取付部、８ｂ・・・軸部
【図１】
2006075228.tif 000003
【図２】
2006075228.tif 000004
【図３】
2006075228.tif 000005
【図４】
2006075228.tif 000006
【図５】
2006075228.tif 000007
【図６】
2006075228.tif 000008